(57)【要約】【課題】本考案は、思い出の写真を、その写真だけのアルバムではなく、写真が醸す季節感や写真から沸き出る楽しさや芸術性などを助長させる種々の小物を使って盛り上げることが自由にでき、しかも、ブック状にも屏風状にも見開きスタンド状にも壁掛け状その他にも自由に変形して飾ることができるスクラップブッキング用基板セットを提供する。【解決手段】本願基板セット１は、少なくとも一つの直線辺２を有し該直線辺２に玉縁３を設けた板状体４と、該板状体４の玉縁３を把持するＣ形係合部５を両端に有する接続片６とを備えてなり、該接続片６を介して板状体４の一辺をブック状あるいは見開きスタンド状その他に綴ることができるように構成した。【選択図】図１
0003120119.tif 000002
【実用新案登録請求の範囲】
【請求項１】
少なくとも一つの直線辺を有し該直線辺に玉縁を設けた板状体と、該板状体の玉縁を把持するＣ形係合部を両端に有する接続片とを備えたことを特徴とするスクラップブッキング用基板セット。
【請求項２】
前記板状体が、方形にして各直線辺に玉縁を設けたことを特徴とする請求項１に記載のスクラップブッキング用基板セット。
【請求項３】
前記板状体及び接続片が、プラスチック素材からなることを特徴とする請求項１又は２に記載のスクラップブッキング用基板セット。
【考案の詳細な説明】
【技術分野】
【０００１】
本考案は、思い出の写真を、その写真だけのアルバムではなく、写真が醸す季節感や写真から沸き出る楽しさや芸術性などを種々の小物を使って盛り上げるためにスクラップブッキングした基板を、ブック状、屏風状、見開きスタンド状、壁掛け状に飾れるスクラップブッキング用基板セットに関するものである。
【背景技術】
【０００２】
従来、この種のスクラップブッキング用の基板セットは存在しないが、この種の基板セットに応用できそうなものとして、実用新案登録第３０８７９７５号、実公平４−３３０１４号及び実開平４−７９５６３号がある。上記実用新案登録第３０８７９７５号に記載のものは、内部に被展示物を入れる矩形のプレートの対向長辺の端縁に入口を狭くした切欠部を多数個列設し、該切欠部に通した環状連結具でブック状に綴れるようにしてなるものである。また、上記実公平４−３３０１４号に記載のものは、左右の平板に写真挿入部を設け、該挿入部に写真を挿入し、左右の平板をテーブル上に開いて立てると、見開き面がやや上向きの見易い角度に立つようにしたものである。さらに、実開平４−７９５６３号に記載のものは、写真を挟む透明な２枚のプラスチック板をネジ止めした単体を、縦方向に連続できるようにし、最上のプラスチック板に壁掛け紐を取り付けて壁に掛けられるようにしている。
【特許文献１】実用新案登録第３０８７９７５号
【特許文献２】実公平４−３３０１４号
【特許文献３】実開平４−７９５６３号
【考案の開示】
【考案が解決しようとする課題】
【０００３】
しかしながら、上記実用新案登録第３０８７９７５号のものは、矩形のプレートに入れるものは、写真のような薄物に限られ、しかも該写真が醸す季節感などを助長するための小物も紙のような薄物に限られ、種々の厚さの小物を利用するスクラップブッキング用としては全く不向きであった。
【０００４】
また、上記実公平４−３３０１４号のものは、各平板に予め写真挿入部が確定的に形成されているため、自由な個所に写真を配置できるものではなく、写真や小物の配置も大きな要素となるスクラップブッキングには適用でき難いものであった。
【０００５】
さらに、実開平４−７９５６３号のものは、写真を挟む透明な２枚のプラスチック板には自由な厚さの小物を挟むことができず、上記実用新案登録第３０８７９７５号と同様にスクラップブッキング用としては不向きであった。
【０００６】
本発明は、上記諸問題を解消するためのもので、その目的とするところは、写真が醸す季節感や写真から沸き出る楽しさや芸術性などを助長させる種々の厚肉の小物を使って盛り上げることが自由にでき、しかも、ブック状にも屏風状にも見開きスタンド状にも壁掛け状その他にも自由に変形して飾ることができるスクラップブッキング用基板セットを提供する点にある。
【課題を解決するための手段】
【０００７】
上記の目的を達成するため、本発明に係るスクラップブッキング用基板セットは、少なくとも一つの直線辺を有し該直線辺に玉縁を設けた板状体と、該板状体の玉縁を把持するＣ形係合部を両端に有する接続片とを備えたことを特徴とし、接続片を介して板状体の一辺がブック状あるいは見開きスタンド状その他に綴ることができるように構成した。
【０００８】
また、請求項２に記載のスクラップブッキング用基板セットは、前記板状体が、方形にして各直線辺に玉縁を設けたことを特徴とし、ブック状は勿論、屏風状にも、見開きスタンド状にも、連続して壁掛け状にも自由に変形できるように構成した。
【０００９】
さらに、請求項３に記載のスクラップブッキング用基板セットは、前記板状体及び接続片が、プラスチック素材からなることを特徴とし、互いの係合に素材の弾性を利用できるように構成した。
【考案の効果】
【００１０】
本願基板セットによれば、板状体の表面には自由な感覚で写真を貼ることができるとともに、該写真が醸す季節感や芸術性などを助長するための小物も自由な厚みのものを自由に利用してスクラップブッキングすることができる。しかも、該板状体はスクラップブッキングを完成させた後、あるいは完成させる前に、その玉縁を把持するＣ形係合部を有する接続片を用い、使用する小物の厚みを考慮して必要な間隔に保って綴ることができるなど、各種の優れた効果を奏するものである。
【００１１】
また、請求項２に記載の基板セットによれば、スクラップブッキングを完成させた板状体は四辺全部が接続片を用いて連結でき、ブック状は勿論、屏風状にも、見開きスタンド状にも、連続して壁掛け状にも自由な形にすることができるという優れた効果を奏するものである。
【００１２】
さらに、請求項３に記載の基板セットによれば、板状体の玉縁と接続片のＣ形係合部との係合がプラスチック素材の弾性を利用できるので、きわめて扱い易いという優れた効果を奏するものである。
【考案を実施するための最良の形態】
【００１３】
次に、本考案の実施の態様を添付図面に基づいて説明する。図１は本願基板セットの外観斜視図、図２は板状体と接続片との係合関係を示す断面図で、（ａ）はＣ形係合部間が長い接続片の場合、（ｂ）はＣ形係合部間が無い接続片の場合、図３は板状体の綴り方を略示的に示した説明図で、（ａ）は屏風状、（ｂ）は壁掛け状、（ｃ）はボックス状、図４は玉縁の例を示す斜視図で、（ａ）は標準型、（ｂ）は透孔省略型、（ｃ）は全開型、図５はスクラップブッキングを完成させた板状体を示す断面図である。
【００１４】
本願基板セット１は、図１の如く、直線辺２に玉縁３を設けた板状体４と、該板状体４の玉縁３を把持するＣ形係合部５、５を両端に有する接続片６を備えている。該接続片６は、図２（ａ）（ｂ）の如く、Ｃ形係合部５、５間の長さの異なる２種、あるいはそれ以上を用意しておくことが好ましい。勿論、接続片６は図示した２種に限らない。
【００１５】
前記板状体４の玉縁３を把持する接続片６のＣ形係合部５は、その係合時、図２（ａ）及び（ｂ）の如く、Ｃ形の両端Ａ、Ｂが断面円形の玉縁３の最大径部分を超えていれば機能する。なお、Ｃ形の両端Ａ、Ｂが断面円形の玉縁３の最大径部分を大きく超えていると係合力はしっかりする反面係脱が困難になるし、超え量が少ないと係合力は弱いが係脱性はよくなる。いずれを選択するかは自由決定してよい。
【００１６】
前記板状体４は、これを単にブック状に綴るのみであるならば、少なくとも一つの直線辺２を有し、その直線辺２に玉縁３を設けておけば足りる。このように構成した場合、他の三辺は任意の形状（図示していないが、たとえば、円弧状、波形状、鋸歯状、あるいは動物やマンガの主人公の横顔その他）に形成することもできる。
【００１７】
前記板状体４は、図示の場合には、平面方形にし、直線辺２となる四辺全部に玉縁３を設けている。この場合には、同一側を接続片６で綴ってブック状にする（図１参照）ことができるほか、図３（ａ）の如く２つの辺を接続片６で次々に綴って屏風状（あるいは見開きスタンド状）に立たせることができるし、同（ｂ）の如く縦方向に接続片６で綴り、最上の板状体４に掛け紐７を設ければ壁掛け状にもなる。さらには、同（ｃ）の如くボックス状になるように接続片６で綴ることも可能である。
【００１８】
前記玉縁３は、図１及び図４（ａ）では、板状体４の縁面部３′の端部を断面円形に形成し、かつ、縁面部３′に透孔８を設けた標準型の場合を示している。これは前記接続片６のＣ形係合部５を係合させたときに、縁面部３′にあけた透孔８がＣ形係合部５の逃げ場となるため、板状体４の回動範囲が大きくなる。これに対し玉縁３を同（ｂ）の如く、縁面部３′に透孔８を設けない、いわゆる透孔省略型にしたときは、接続片６のＣ形係合部５の逃げ場が小さく、板状体４の回動範囲は制限される。また、玉縁３を同（ｃ）の如く、骨部３ｃを残して縁面部３′を全面的に開口８′した全開型に構成してもよい。この場合には接続片６のＣ形係合部５の係合個所が拡大する有利性がある。
【００１９】
前記板状体４と、その玉縁３を把持するＣ形係合部５を有する接続片６の素材は自由に決定してよいが、プラスチック素材にて構成すると、玉縁３とＣ形係合部６との係合が素材の弾性によりスムーズに行われる利点がある。なお、使用プラスチックは口に銜えても安全なもの、たとえばＰＰ、ＰＥ、ＰＥＴを用いて満足できる。
【００２０】
次に、作用を述べる。今、海の写真９と海でのスナップ写真１０を一枚の板状体４にスクラップブッキングする場合、図５の如く、プラスチック素材からなる板状体４の表面に海の雰囲気が出る色の下地紙（布）１１を貼って体裁を整え、その下地紙１１の上に海の写真９を貼り、身近に存在するシャツのボタン１２を重ねて貼って夏の雰囲気を盛り上げる。次いで、スナップ写真１０を額状に切り抜いた色紙（布）１３で飾るように貼り、次に、空いたスペース１４にスライドファスナー１５を開いた状態で貼り、スライドファスナー１５の開いた面に水玉模様の紙（布）１６を嵌め、清涼飲料水らしくするとともに、細いテープ１７をストローに似せて貼る。最後にタイトル１８を形成して完成する。
【００２１】
このようにして、次々にスクラップブッキングを完成させた板状体４を作ったならば、これら板状体４をそのスクラップブッキングの完成時のボリューム（嵩張り方）によってＣ形係合部５、５間の長さの異なる数種の接続片６の中から最適な長さのものを選んでブック状に綴ると利用した種々の小物などを圧迫させることがなく好ましい。また、最適な接続片６を選んで、図３（ａ）〜（ｃ）の如く、屏風状（見開きスタンド状）、壁掛け状、ボックス状その他の形状に綴ることも可能である。なお、ブック状にした場合、その表紙となる板状体４には、図１の如く、その制作者なりの個性を示すスクラップブッキングを完成させるとよい。
【産業上の利用可能性】
【００２２】
本願基板セット１は、思い出の写真などを、その写真だけのアルバムではなく、写真が醸す季節感や写真から沸き出る楽しさや芸術性などを種々の小物を使って盛り上げるためにスクラップブッキングを手軽に楽しめるもので、製造コストも低廉で得られ、特に、スクラップブッキングを始めたい初心者を含め広く利用される可能性の高いものである。
【図面の簡単な説明】
【００２３】
【図１】本願基板セットの外観斜視図である。
【図２】板状体と接続片との係合状態を示す断面図で、（ａ）はＣ形係合部間の長い接続片の場合、（ｂ）はＣ形係合部間の無い接続片の場合である。
【図３】板状体の綴り方を略示的に示した説明図で、（ａ）は屏風状、（ｂ）は壁掛け状、（ｃ）はボックス状である。
【図４】玉縁の例を示す斜視図で、（ａ）は標準型、（ｂ）は透孔省略型、（ｃ）は全開型である。
【図５】スクラップブッキングを完成させた板状体を示す断面図である。
【符号の説明】
【００２４】
１  本願基板セット
２  直線辺
３  玉縁
３′  縁面部
４  板状体
５  Ｃ形係合部
６  接続片
７  下げ紐
８  透孔
８′  開口
９  海の写真
１０  スナップ写真
１１  下地紙（布）
１２  シャツのボタン
１３  紙（布）
１４  空いたスペース
１５  スライドファスナー
１６  水玉模様の紙（布）
１７  細いテープ
１８  タイトル
【図１】
0003120119.tif 000003
【図２】
0003120119.tif 000004
【図３】
0003120119.tif 000005
【図４】
0003120119.tif 000006
【図５】
0003120119.tif 000007